(57)【要約】      （修正有）【課題】路面への貼り付け作業が容易で、かつ、貼り付けた後も安定で剥がれることがなく、また焼却しても有毒ガスなどの発生がない点字誘導ブロックの実現。【解決手段】点字ブロック１および誘導ブロック２を松脂などの熱可塑性の天然樹脂によって形成する。【選択図】    図１
2004324094.tif 000002
【特許請求の範囲】
【請求項１】
路面などに敷設され視覚障害者または弱視者の歩行を警告したり誘導したりする点字誘導ブロックにおいて、
松脂などの熱可塑性の天然樹脂によって形成されていることを特徴とする点字誘導ブロック。
【請求項２】
光を反射するガラスビーズが埋め込まれていることを特徴とする請求項１に記載の点字誘導ブロック。
【請求項３】
裏面の一部にクッションとしてゴム板を貼ったことを特徴とする請求項１または請求項２に記載の点字誘導ブロック。
【請求項４】
視覚障害者または弱視者の歩行を警告したり誘導したりする点字誘導ブロックを路面などに敷設する点字誘導ブロック敷設方法において、
熱可塑性の樹脂にて形成された前記点字誘導ブロックを上面から加熱して前記路面などに接着させて敷設することを特徴とする点字誘導ブロック敷設方法。
【請求項５】
前記点字誘導ブロックを敷設する前記路面などを清掃する清掃工程と、
この清掃工程で清掃した前記路面などに敷設のための位置決めを行なう位置出し工程と、
この位置出し工程で位置決めされた前記路面などの前記点字誘導ブロックの敷設位置を予熱する予熱工程と、
この予熱工程で予熱した前記敷設位置に前記点字誘導ブロックを設置する設置工程と、
この設置工程で設置された前記点字誘導ブロックの上面から加熱して前記点字誘導ブロックを前記路面などに貼り付ける加熱工程とを有することを特徴とする請求項３に記載の点字誘導ブロック敷設方法。
【発明の詳細な説明】
【０００１】
【発明の属する技術分野】
本発明は視覚障害者を誘導し、視覚障害者の歩行を補助するための点字誘導ブロックとその敷設方法に関する。
【０００２】
【従来の技術】
盲人や弱視者の歩行を誘導する手段として、従来、歩道や駅のホームなどに点字誘導ブロックと呼ばれる表面に複数の球状又は線状の凸部が設けられたブロックが敷設されている。このようなブロックは、上面を黄色に彩色し、ブロック表面の凹凸により全盲者を誘導し、黄色の色彩によって弱視者を誘導するという機能をはたしている。
この点字誘導ブロックとしては、コンクリートなどで一体に成型されているものや、ポリエステルなどのプラスチックで成型され、接着剤で貼り付けるものなどが知られている。
【０００３】
ところで、コンクリートで成形されているものは、硬いため、弱視者や視覚障害者にとって歩行感が悪く、健常者にとっても躓き易いという問題があり、又、車椅子やショッピングカートなどの車輪の小さい車両の場合は振動が大きく通行しにくいという問題があった。また、衝撃に弱いという問題をも有している。この問題を解決するため、コンクリートブロックに中空のプラスチックのカバーを設けたものなどが報告されている（例えば、特許文献１参照。）。しかし、コンクリートという材質の硬度が高く、路面などの凹凸に対する追従性が悪いため、舗装路面をカッタによって点字ブロック板の幅で切除し、その切除部分に点字ブロック板を嵌めこんで敷設する必要があり、舗装路面の切除作業や点字ブロック板の敷設作業に手間がかかり、作業に多くの時間と労力を要し、作業性が悪いという問題があった。
【０００４】
一方、プラスチックで成型されたものを用いる場合（例えば、特許文献２参照。）には、材質が比較的柔軟であるため、路面などの凹凸に対する追従性がよく、この点ではコンクリートのものに比べると作業性がよい。しかし、接着剤で貼る場合には、まず路面に接着剤を塗ってからこの接着剤をバーナーで炙って溶かし、その上にプラスチックブロックを貼り付ける作業が必用なため、やはり、相当の手間がかかるという問題があった。バーナーを用いず、接着剤だけ貼るものもあるが、接着作業の手際が悪いと、接着が充分ではなくはがれ易くなるという問題を有していた。また、化学物質からなる生成品であるプラスチックを用いているため、廃棄品などを焼却すると有毒ガスが発生し易く、放置しておいても容易に分解されないという欠点があった。
【０００５】
【特許文献１】
特開２００１−８１７４２号公報（第２−３頁、第１図）
【特許文献２】
特開２００１−２７１３１５号公報（第３−４頁、第１図）
【０００６】
【発明が解決しようとする課題】
以上に述べたように、従来の点字誘導ブロックは、コンクリート製のものもプラスチック製のものも、取り付け作業に手間がかかり、作業性が悪いという問題を有していた。道路の路面などで作業を行なう上で、作業効率が悪く、作業に時間のかかることは好ましいことではない。
本発明はこの問題を解決して、路面への貼り付け作業が容易で、かつ、貼り付けた後も安定で剥がれることがなく、また焼却しても有毒ガスなどの発生がない点字誘導ブロックと、その施工方法の実現を課題とする。
【０００７】
【課題を解決するための手段】
路面などに敷設され視覚障害者または弱視者の歩行を警告したり誘導したりする点字誘導ブロックにおいて、松脂などの熱可塑性の天然樹脂によって形成されていることを特徴とする。
これにより、加熱することによって容易に路面などに接着することができ、敷設の作業性に優れた点字誘導ブロックを実現することができる。また、天然の素材を用いているので、焼却しても有毒ガスなどの発生がなく環境にやさしい製品といえる。
【０００８】
光を反射するガラスビーズが埋め込まれていることを特徴とする。
これにより、光の反射率を向上して弱視者に視認しやすい点字誘導ブロックを実現することができる。
【０００９】
裏面の一部にクッションとしてゴム板を貼ったことを特徴とする。
これにより、歩行感のよい点字誘導ブロックを実現することができる。
【００１０】
視覚障害者または弱視者の歩行を警告したり誘導したりする点字誘導ブロックを路面などに敷設する点字誘導ブロック敷設方法において、熱可塑性の樹脂にて形成された前記点字誘導ブロックを上面から加熱して敷設することを特徴とする。
これにより、特別な接着剤や路面などの加工を必要とせず、簡単に敷設が行なえ、効率的な点字誘導ブロックの敷設方法を実現することができる。
【００１１】
前記点字誘導ブロックを敷設する前記路面などを清掃する清掃工程と、この清掃工程で清掃した前記路面などに敷設のための位置決めを行なう位置出し工程と、この位置出し工程で位置決めされた前記路面などの前記点字誘導ブロックの敷設位置を予熱する予熱工程と、この予熱工程で予熱した前記敷設位置に前記点字誘導ブロックを設置する設置工程と、この設置工程で設置された前記点字誘導ブロックの上面から加熱して前記点字誘導ブロックを前記路面などに貼り付ける加熱工程とを有することを特徴とする。
これにより、短時間に効率よく点字誘導ブロックを敷設することができ、かつ、作業に熟練を要しない点字誘導ブロックの敷設方法が得られる。
【００１２】
【発明の実施の形態】
図１に本発明の点字誘導ブロックの工事完成図の一例を示す。この例は４枚の点字ブロック１と６枚の誘導ブロック２を用いてＬ字型の誘導警告ブロックを形成した例を示している。また、図２（ａ）に点字ブロック１の、図２（ｂ）および図２（ｃ）に誘導ブロック２の側面図を示す。点字ブロック１、誘導ブロック２はそれぞれ３００ｍｍ×３００ｍｍの正方形に形成されており、平面部の厚みは８ｍｍ、突起部はこの平面部より５ｍｍ以上突出している。点字ブロック１は３００ｍｍ×３００ｍｍの正方形中に５×５合計２５個の点状突起が配置されており、誘導ブロック２には歩行誘導方向に平行な長さ２８０ｍｍ、幅２０ｍｍの突起が４列並んだ形状である。これらのブロックの色は通常黄色であるが、白、赤、青、緑、黒などのものも実現できる。
【００１３】
本発明の特徴の１つとして、本発明の点字誘導ブロックは、松脂を用いて形成されている。松脂であるため、軟化点は約１１０°Ｃであり、この程度の温度で路面に溶着させることができる。したがって、接着剤などを用いることなしに加熱することで比較的容易に路面や駅のプラットホーム面などに貼り付けることができる。軟化した時点で柔軟性が増すので、路面の凹凸に対する追従性も優れている。また、この点字誘導ブロックの裏面の一部にゴム板を当ててクッションとし、歩行感をよくするようにすることもできる。
【００１４】
本発明の点字誘導ブロックの性能を表１に示す。この表からわかるように、本発明の点字誘導ブロックは、耐磨耗性に富み、圧縮強さに優れているので、耐久性に優れ、路面などに敷設するに適している。また、接着強度が高く、油グリス抵抗があるので、容易に剥がれることがなく、油やグリスで汚れるような路面上でも、充分安定に設置することができる。
【００１５】
【表１】
2004324094.tif 000003
【００１６】
本発明の点字誘導ブロックは、また、体積比率で約４０％程度のガラスビーズを含有させている。これにより、光の反射率を向上させて弱視者でも容易に視認することができる。
本発明の点字誘導ブロックは、材質が松脂という天然の素材とガラスビーズであるため、撤去品や不良品を放置しておいても自然に分解され、焼却しても有毒なガスを発生することがなく、環境にやさしい商品ということができる。
【００１７】
次に、本発明の点字誘導ブロックの敷設工法について説明する。
作業に当たって準備するものは、プロパンガスボンベ、ガスバーナ、墨だし（ライン引き）、掃除具、温度センサーなどである。このうち、墨だしは路面上に点字誘導ブロックの設置位置のラインを引くために、ほうきなどの掃除具は路面を清掃するために用いられる。また、温度センサーは、１ｍ位離れたところから路面表面の温度を測定することができるハンドセンサーである。
【００１８】
作業はまず、路面やプラットホーム面などの点字誘導ブロックの敷設位置をほうきなどの掃除具で清掃することからはじめる。これは、特許請求の範囲の請求項５に述べる清掃工程に当たる。
次に、清掃された路面などに位置決めを行ない、墨だしでラインを引いて設置場所を表示する。これは、特許請求の範囲の請求項５に述べる位置出し工程に当たる。
【００１９】
次に、設置位置を温度センサーで温度を確認しながら、ガスバーナで１８０°〜２００°Ｃに暖めて予熱する。これは、特許請求の範囲の請求項５に述べる予熱工程に当たる。
次に、予熱された路面などの設置位置に、墨だしでひかれたラインに沿って点字誘導ブロックを設置する。これは、特許請求の範囲の請求項５に述べる設置工程に当たる。
【００２０】
最後に、設置された点字誘導ブロックガスバーナでその表面から暖めて路面などに接着させる。なお、松脂の引火点は２６０°Ｃなので、そこまで高温にならないように注意する。この工程は、特許請求の範囲の請求項５に述べる加熱工程に当たる。
【００２１】
本発明では、以上のような比較的簡単な工程で点字誘導ブロックを路面などの希望する位置に安定に敷設することができるので、従来のものに比べて作業性が優れており、作業に熟練を必要としない。点字誘導ブロックを１ないし２枚程度を敷設するのに要する時間は３０秒から４０秒程度である。
【００２２】
以上、本発明を実施の形態に沿って説明したが、本発明はこれに限られるものではない。例えば、以上の例では点字誘導ブロックの材料を松脂としたが、天然の植物樹脂であれば同様に用いることができる。またブロックの寸法や突起部の形状、突起部の数、色なども許される範囲で多様に決めることができることは言うまでもない。
【００２３】
【発明の効果】
以上述べたように、本発明の点字誘導ブロックは、松脂などの熱可塑性の天然樹脂によって形成したため、環境にやさしく、路面などに表面からの加熱によって接着することができて施工が簡単であり、反射ガラスビーズを混入しているので視認性がよく、耐久性に優れ、路面などでの使用に適している。
また、本発明の点字誘導ブロック敷設方法においては、このような熱可塑性の樹脂で形成された点字誘導ブロックをその上面から加熱して路面などに接着して敷設するようにしているので、路面などへの追従がよく、工数を大幅に短縮することができ、かつ、敷設に熟練を要しないという利点を有している。
【図面の簡単な説明】
【図１】本発明の点字誘導ブロックの工事完成図。
【図２】本発明の点字ブロックおよび誘導ブロックの側面図。
【符号の説明】
１      点字ブロック
２      誘導ブロック
【図１】
2004324094.tif 000004
【図２】
2004324094.tif 000005